(57)【特許請求の範囲】
【請求項１】
第１の伝送チャンネルと、第２の伝送チャンネルを設定して、第１，第２の伝送チャンネルのいずれか一方のチャンネルだけを使用した通信と、両伝送チャンネルを同時に使用した通信とが選択的に行われる通信方法において、
送信側で送信するデータの順序を所定の配列で並び変えるインターリーブ処理を行い、
受信側で受信したデータの順序を元の配列に並び変えるデインターリーブ処理を行い、
上記第１，第２の両伝送チャンネルを同時に使用した通信時の上記インターリーブ処理及びデインターリーブ処理として、この第１，第２の伝送チャンネルのデータを所定の配列の１系列のデータとして所定のインターリーブパターンで並び変える処理を行うと共に、
第１の伝送チャンネルだけを使用した伝送から第１，第２の両伝送チャンネルを同時に使用した通信に切換わった直後に、第２の伝送チャンネルの一部に、送信データが存在しない区間を設けて、上記所定のインターリーブパターンとなるようにした
通信方法。
【請求項２】
請求項１記載の通信方法において、
上記第１，第２の伝送チャンネルの通信として、複数のシンボルを所定の周波数間隔で設定してそれぞれのシンボルにデータを変調して伝送するマルチキャリア信号による通信とし、
上記シンボルの並び変えにより、上記インターリーブ処理を行うようにした
通信方法。
【請求項３】
請求項１記載の通信方法において、
上記第１及び第２の伝送チャンネルは、それぞれ異なる拡散符号で分散されたＣＤＭＡ方式で伝送される伝送チャンネルである
通信方法。
【請求項４】
第１の伝送チャンネルと、第２の伝送チャンネルを設定して、第１，第２の伝送チャンネルのいずれか一方のチャンネルだけを使用した送信と、両伝送チャンネルを同時に使用した送信とが選択的に可能な送信装置において、
送信するデータの順序を所定の配列で並び変えるインターリーブ処理部と、
該インターリーブ処理部でインターリーブされたデータを上記第１及び第２の伝送チャンネルで送信するための送信処理を行う送信処理部とを備え、
上記送信処理部で第１，第２の両伝送チャンネルを同時に使用した送信を行うとき、上記インターリーブ処理部で上記第１，第２の伝送チャンネルのデータを所定の配列の１系列のデータとして所定のインターリーブパターンで並び変える処理を行うと共に、
第１の伝送チャンネルだけを使用した伝送から第１，第２の両伝送チャンネルを同時に使用した通信に切換わった直後に、第２の伝送チャンネルの一部に、送信データが存在しない区間を設けて、上記所定のインターリーブパターンとなるようにした
送信装置。
【請求項５】
請求項４記載の送信装置において、
上記送信処理部による上記第１，第２の伝送チャンネルの送信として、複数のシンボルを所定の周波数間隔で設定してそれぞれのシンボルにデータを変調して伝送するマルチキャリア信号による送信とし、
上記シンボルの並び変えにより、上記インターリーブ処理を行うようにした
送信装置。
【請求項６】
請求項４記載の送信装置において、
上記第１及び第２の伝送チャンネルは、それぞれ異なる拡散符号で分散されたＣＤＭＡ方式で伝送される伝送チャンネルである
送信装置。
【請求項７】
第１の伝送チャンネルと、第２の伝送チャンネルを設定して、第１，第２の伝送チャンネルのいずれか一方のチャンネルだけを使用した受信と、両伝送チャンネルを同時に使用した受信とが選択的に可能な受信装置において、
第１及び第２の伝送チャンネルで伝送されたデータを受信する受信処理部と、
該受信処理部で受信されたデータの順序を所定の配列で並び変えるデインターリーブ処理部とを備え、
上記受信処理部で第１，第２の両伝送チャンネルを同時に使用した受信を行うとき、上記デインターリーブ処理部で上記第１，第２の伝送チャンネルのデータ毎に個別に所定のデインターリーブパターンで並び変える処理を行うと共に、
第１の伝送チャンネルだけを使用した伝送から第１，第２の両伝送チャンネルを同時に使用した通信に切換わった直後に、第２の伝送チャンネルの一部に、送信データが存在しない区間を有して、上記所定のインターリーブパターンとなったデータを受信するようにした
受信装置。
【請求項８】
請求項７記載の受信装置において、
上記受信処理部による上記第１，第２の伝送チャンネルの受信として、複数のシンボルを所定の周波数間隔で設定してそれぞれのシンボルにデータを変調して伝送されたマルチキャリア信号の受信とし、
上記シンボルの並び変えにより、上記デインターリーブ処理を行うようにした
受信装置。
【請求項９】
請求項７記載の受信装置において、
上記第１及び第２の伝送チャンネルは、それぞれ異なる拡散符号で分散されたＣＤＭＡ方式で伝送される伝送チャンネルである
受信装置。
【発明の詳細な説明】
【０００１】
【発明の属する技術分野】
本発明は、例えばセルラ方式の無線電話システムの基地局や端末装置に適用して好適な通信方法と、その通信方法が適用される送信装置及び受信装置に関する。
【０００２】
【従来の技術】
無線電話システムなどの移動通信においては、基地局を所定間隔で複数配置してサービスエリアを構成させ、各基地局では複数の移動局（端末装置）を接続させる多元接続が行われている。この場合、それぞれの基地局には、予め所定の伝送帯域が割当ててあり、その伝送帯域内に複数の伝送チャンネルを設定して、各端末装置から通信要求があるとき等に、その端末装置に対していずれかの伝送チャンネルを割当て、端末装置側ではその割当てられた伝送チャンネルを使用して基地局を経由した通信を開始させるようにしてある。
【０００３】
この伝送チャンネルを設定する通信方式としては、例えば周波数分割多元接続（ＦＤＭＡ：Frequency Division Multiple Access）、時分割多元接続方式（ＴＤＭＡ：Time Division Multiple Access ）、符号分割多元接続方式（ＣＤＭＡ：Code Division Multiple Access ）などがある。
【０００４】
各方式について簡単に説明すると、ＦＤＭＡ方式の場合には、用意された伝送帯域を周波数で分割して複数の伝送チャンネルを設定するものである。ＴＤＭＡ方式の場合には、伝送帯域を周波数で分割して複数の伝送チャンネルを設定し、その各伝送チャンネルを所定時間単位で分割して、１伝送チャンネル中に複数のタイムスロットを形成させ、そのタイムスロット毎に接続する端末装置を割当てるようにしたもので、１伝送チャンネルを使用して複数の端末装置と同時に接続できる。ＣＤＭＡ方式の場合には、各端末装置毎に特定の符号を割当て、同一搬送波（キャリア）の変調波をこの符号でスペクトラム拡散して基地局に送信し、受信側では各々符号同期をとって、所望の端末装置からの信号を識別する多元接続方式である。
【０００５】
【発明が解決しようとする課題】
ところで、無線電話システムにおいては、いずれの方式で伝送チャンネルを設定する場合でも、１伝送チャンネルで伝送できる伝送容量は決められていて、伝送容量を伝送するデータの種別により変えることはできなかった。一般に無線電話システムの場合には、通話用の音声データの伝送ができる程度の容量に１伝送チャンネルの伝送容量を設定してある。
【０００６】
一方、近年携帯電話機などの無線端末を使用して、音声データ以外の各種データを伝送出来るようにすることが実用化されつつあるが、このように１伝送チャンネルで決められた伝送容量しかできないと、例えば大容量のデータ伝送に時間がかかる不都合がある。この不都合を解決するためには、１伝送チャンネルで伝送できる伝送容量として、大きな伝送容量を設定すれば良い。ところが、１チャンネルの伝送容量を大きくすると、それだけ１伝送チャンネルの周波数帯域幅などが広く必要で、１つの基地局に割当てられた伝送帯域内に設定できる伝送チャンネルの数が少なくなってしまうと共に、音声データなどの比較的容量の少ないデータを伝送する場合には、各伝送チャンネルで伝送されるデータ量が、そのチャンネルで伝送できる容量よりも少ないデータ量となり、伝送帯域が有効に活用されないと言う不都合が生じてしまう。
【０００７】
このため、本出願人は先に伝送容量を可変できる伝送方式を適用した通信方法及び通信装置を提案した（特願平８−３１２２９５号など）。ところで、デジタルデータを無線伝送する場合には、伝送するデータのデータ配列を並び変えて伝送するインターリーブ処理を行い、一部のデータが受信時に欠落しても、エラー訂正処理などで復元できるようにしてある。
【０００８】
ここで、従来のインターリーブ処理は、決められた伝送容量のデータをインターリーブすることしか考慮されてなく、伝送容量が可変する通信方式にそのまま適用した場合には、伝送容量が変化したとき、受信側で正しく元の配列のデータに並び変える処理ができなくなってしまう可能性があった。
【０００９】
本発明はかかる点に鑑みてなされたものであり、無線電話システムなどの無線通信において、伝送容量が変化した場合でもインターリーブ処理が適正にできるようにすることを目的とする。
【００１０】
【課題を解決するための手段】
この問題点を解決するために本発明は、第１の伝送チャンネルと、第２の伝送チャンネルを設定して、第１，第２の伝送チャンネルのいずれか一方のチャンネルだけを使用した通信と、両伝送チャンネルを同時に使用した通信とが選択的に行われる場合に、第１，第２の両伝送チャンネルを同時に使用した通信時のインターリーブ処理及びデインターリーブ処理として、この第１，第２の伝送チャンネルのデータを所定の配列の１系列のデータ又は個別のデータとして所定のインターリーブパターンで並び変える処理を行うと共に、
第１の伝送チャンネルだけを使用した伝送から第１，第２の両伝送チャンネルを同時に使用した通信に切換わった直後に、第２の伝送チャンネルの一部に、送信データが存在しない区間を設けて、所定のインターリーブパターンとなるようにしたものである。
【００１１】
かかる処理を行うことによって、第１，第２の両伝送チャンネルを使用した伝送時のインターリーブ処理が適正に行われる。
【００１２】
【発明の実施の形態】
以下、本発明の第１の実施例を、図１〜図５を参照して説明する。
【００１３】
第１の実施例では、ＴＤＭＡ方式を適用した無線電話システムに適用したもので、基地局が所定間隔で配置されて通信エリアが設定されるセルラ方式の無線電話システムとしてある。
【００１４】
まずその無線電話システムに使用される端末装置の構成を、図１に示す。まず受信系の構成について説明すると、アンテナ１１は、アンテナ共用器１２を介して受信部１３に接続してあり、ＰＬＬ回路などで構成される周波数シンセサイザ１４の出力周波数信号が受信部１３に供給される。ここで、アンテナ１１から受信部１３に供給される受信信号に、周波数１４の出力周波数信号を混合して、所定の周波数の受信信号を中間周波信号に周波数変換する。この場合、周波数シンセサイザ１４の出力周波数は、この端末装置の通信動作を制御するシステムコントローラである制御部２２の制御に基づいて決められる。
【００１５】
中間周波信号とされた受信信号は、復調部１５に供給されて、規定された通信方式に基づいた復調処理が行われ、シンボル系列の受信データとする。この場合、復調部１５では、送信時にインターリーブされたデータ配列を元に戻すデインターリーブ処理を行うようにしてある。このデインターリーブ処理の詳細については後述する。そして、復調されたシンボル系列の受信データをＴＤＭＡ処理部１６に供給し、その受信データから必要なデータを抽出して、それぞれ対応した信号処理部に供給する。
【００１６】
例えば、受信データに含まれる音声データについては、音声処理部１７に供給し、この音声処理部１７内での音声処理でアナログ音声信号として、接続されたスピーカ１８から放音させる。また、受信データに含まれるファクシミリデータについては、ファクシミリ処理部２４に供給し、このファクシミリ処理部２４でファクシミリ装置（図示せず）に供給するためのデータとする。また、受信データに含まれる電子メールデータについては、電子メール処理部２５に供給し、この電子メール処理部２５で電子メール受信装置（パーソナルコンピュータ装置や電子携帯端末など：図示せず）に供給するためのデータとする。また、受信データに含まれる制御データについては制御部２２に供給し、制御部２２で対応した通信制御を実行させる。なお、これらの受信データの種別は、例えば受信データに含まれる制御データなどにより判別する。
【００１７】
次に、端末装置の送信系について説明すると、例えば音声データについては、音声処理部１７に接続されたマイクロホン１９が拾った音声信号を、この音声処理部１７で伝送用のデジタル音声データとし、この音声データをＴＤＭＡ処理部１６に供給し、送信用のシンボル系列の所定位置に配置する。送信用のシンボル系列の他の位置には、予め決められた同期パターンや、制御部２２から供給される制御データなどを配置し、送信用の構成のタイムスロットとする。
【００１８】
そして、ＴＤＭＡ処理部１６が出力するシンボル系列の送信データを、変調部２０に供給し、送信用の変調処理を行い、その変調された信号を送信部２１に供給し、周波数シンセサイザ１４が出力する周波数信号を混合して、所定の送信周波数に周波数変換する。この送信周波数の送信信号は、アンテナ共用器１２を介してアンテナ１１に供給されて、無線送信される。変調部２０での変調時には、送信データの配列を並び変えるインターリーブ処理を行うようにしてある。このインターリーブ処理の詳細については後述する。
【００１９】
また、図示しないファクシミリ装置（又はファクシミリ通信用モデムが接続されたコンピュータ装置など）からファクシミリ処理部２４に供給されるファクシミリ信号については、ファクシミリ処理部２４で伝送用のファクシミリデータとし、このファクシミリデータをＴＤＭＡ処理部１６に供給し、上述した音声データの場合と同様の送信処理を行う。さらに、図示しない電子メール送受信用の装置から電子メール処理部２５に供給される送信用の電子メールデータについては、電子メール処理部２５で伝送用の電子メールデータとし、この電子メールデータをＴＤＭＡ処理部１６に供給し、上述した音声データの場合と同様の送信処理を行う。
【００２０】
なお、制御部２２には、各種キー２３が接続してあり、発信や着信などの操作がキー２３により行われる。また、本例の端末装置は、複数のタイムスロットを同時に通信処理できる能力を備え、制御部２２の制御に基づいて同時に通信処理するタイムスロット数が設定される。この複数のタイムスロットを同時に使用する処理については後述する。
【００２１】
次に、端末装置と通信を行う基地局の構成を、図２を参照して説明する。基地局の基本的な通信処理構成としては、端末装置と同じであるが、複数台の端末装置と同時に通信を行う構成が端末装置とは異なる。即ち、２系統のアンテナ５１，５２が、合成・分離回路５３に接続してあり、合成・分離回路５３で受信信号を伝送チャンネル毎などに分離して、各端末装置からの受信信号を１台又は所定の複数台の端末装置毎の複数系統の信号に分離する。分離されたそれぞれの系統の受信信号は、それぞれ別の通信部５４ａ，５４ｂ‥‥５４ｎ（ｎは任意の数）に供給して、受信処理及び復調処理を行い、復調された受信データを、基地局を統括する通信制御局と接続される専用回線５７に送出するための送信処理を行い、処理された信号を合成・分離回路５６を介して専用回線５７側に送出する。
【００２２】
また、専用回線５７側から基地局に伝送される信号を、合成・分離回路５６により複数系統の信号に分離し、その分離された各系統の信号を、それぞれ別の通信部５４ａ，５４ｂ‥‥５４ｎに供給して、専用回線５７からの受信処理を行った後、端末装置への送信用の変調処理及び送信処理を行い、合成・分離回路５３を介していずれかのアンテナ５１，５２に供給して、無線送信する。
【００２３】
なお、基地局の各通信部５４ａ〜５４ｎでの送信や受信の処理は、制御部５５の制御に基づいて行われ、必要な制御データの付加や判別なども、制御部５５の制御に基づいて行われる。また、各通信部５４ａ〜５４ｎでの変調処理や復調処理では、データの並び変えを行うインターリーブ処理及びデインターリーブ処理を行うようにしてある。
【００２４】
次に、以上説明した端末装置と基地局との間で通信を行う場合の、通信状態について説明する。本例においては、端末装置と基地局との間で通信を行う際の伝送容量を、適応的に設定できるようにしたものである。この適応的に伝送容量を設定する処理を、端末装置と基地局との間の通信方式として、ＴＤＭＡ方式（時分割多元接続方式）を適用した場合について説明すると、ここでは端末装置から基地局への上り回線の伝送周波数と、基地局から端末装置への下り回線の伝送周波数で別の伝送周波数が使用されて、端末装置と基地局との間の通信回線が設定されるようにしてある。
【００２５】
ＴＤＭＡ方式の場合には、１つの伝送帯域を所定時間単位で分割して、複数の端末装置で同時に使用する多元接続を行うようにしてある。即ち、例えば１伝送帯域を３分割する場合には、図３に示すように、所定時間単位で１フレームを規定し、このフレーム構造が繰り返される。そして１フレームを３分割して、その分割されたそれぞれをタイムスロットＴ１，Ｔ２，Ｔ３とする。１タイムスロットの時間としては、例えば数百μ秒〜数ｍ秒程度の時間で、一般には各タイムスロットＴ１，Ｔ２，Ｔ３の時間は同じであるが、各タイムスロットで伝送できる情報量を変えるために、異なる時間を設定しても良い。そして、各タイムスロットの区間のバースト信号を間欠的に端末装置と基地局との間で送受信するものである。
【００２６】
本例の場合には、上り回線として使用される伝送帯域内の各伝送チャンネル（伝送周波数）と、下り回線として使用される伝送帯域内の各伝送チャンネル（伝送周波数）とのそれぞれで、図３に示す同じタイミングのフレーム構成が規定される。そして、例えば図４のＡに示すように、各フレーム中のタイムスロットＴ１を使用する通信回線が、ある端末装置と基地局との間で設定されて、双方向の通信が行われ、所定の情報（音声データ，ファクシミリデータ，電子メールデータなど）の伝送が行われているとする。なお、以下の説明では、特に説明しない限り、上り回線，下り回線の双方で、同じ状態で各フレーム中のタイムスロットが使用される。また、このフレーム構成は、音声データなどの情報の伝送に使用されるいわゆる情報チャンネルの構成であり、発呼，着呼などの制御を行う制御データの伝送を行う制御チャンネルについては、情報チャンネルとは別に設定してある。
【００２７】
この構成でタイムスロットＴ１を使用した通信回線が設定されている最中に、送信させる情報の伝送容量を増大させたい要請（即ち伝送速度の高速化の要請）があるとする。このとき、同じ伝送周波数中に空きスロットがある場合には、その空きスロットを、このときの通信回線に追加して割当てる処理を行う。
【００２８】
図５は、その場合の接続シーケンスを示す図で、この図５でチャンネル１（ＣＨ１）の通信は、タイムスロットＴ１を使用した継続した通信（図５中に実線で示す通信）であり、チャンネル２（ＣＨ２）の通信は、タイムスロットＴ２を使用した新たに追加された通信（図５中に破線で示す通信）である。まず、タイムスロットＴ１を使用したチャンネル１の通信が行われている最中に、端末装置から新たな情報の送信開始などのために、伝送容量を増大させたいとする。このとき、端末装置から基地局に対して、現在通信中の上り回線のタイムスロットＴ１（チャンネル１）内の所定の区間を使用して、新たな情報チャンネルの生成要請信号Ｓ１０１を送信する。
【００２９】
基地局では、この新たな情報チャンネルの生成要請信号Ｓ１０１を受信すると、同じ伝送周波数中の空きスロットを判断して、その空きスロットに新チャンネルの開設を受諾する信号と、その受諾に伴って変更されるパラメータの信号Ｓ１０２を伝送する。この信号Ｓ１０２の伝送は、現在通信中の下り回線のタイムスロットＴ１（チャンネル１）内の所定の区間を使用して行う。端末装置では、この受諾信号などを受信して確認すると、確認信号（ＡＣＫ信号）Ｓ１０３を上り回線のタイムスロットＴ１を使用して送信する。
【００３０】
ここで、基地局から伝送されるパラメータには、新チャンネルとして割当てられるスロット番号（ここではスロットＴ２）のデータの他に、そのスロットで通信を開始させるタイミングのデータについても伝送される。そして、指示されたタイミングで、新たに割当てられた下り回線のスロットＴ２で、基地局からヘッダ情報信号の伝送を開始させると共に、新たに割当てられた上り回線のスロットＴ２で、端末装置からもヘッダ情報信号の伝送を開始させる（図５でＳ１０４として示す処理）。従って、図４のＢに示すように、各フレーム中のスロットＴ１で音声データなどの情報の伝送が継続して行われていると共に、スロットＴ２を使用して、ヘッダ情報信号の伝送が開始される。なお、ヘッダ情報信号は、例えば特定のパターンのデータなどの予め決まった信号である。
【００３１】
この新たに割当てられたスロットＴ２を使用した双方向のヘッダ情報信号の伝送Ｓ１０４が行われると、受信側の制御部では、そのヘッダ情報信号を正しく受信できたか判断し、正しく受信できたと判断したとき、タイムスロットＴ１内の所定の区間を使用して、確認信号Ｓ１０５を相手に対して伝送する。そして、双方でこの確認信号Ｓ１０５を受信して判別すると、新たに割当てられたスロットＴ２を使用した情報の伝送を開始させ、図４のＣに示す状態で、１台の端末装置と基地局との間の通信回線が設定される。ここで、スロットＴ１とスロットＴ２で伝送される情報としては、同じ種類の情報を２スロットに分割して伝送させる他に、各スロットＴ１，Ｔ２で異なる種類の情報（例えば音声データと電子メールデータなど）を伝送させるようにしても良い。
【００３２】
次に、元の伝送容量に戻したい場合（或いは最初から２スロット使用した伝送回線が設定されている場合に伝送容量を減らしたい場合）について説明する。端末装置からの要請で伝送容量を減らす場合には、図５に示すように、上り回線のスロットＴ２を使用して、端末装置から基地局にスロットＴ２（チャンネル２）の開放要請信号Ｓ１０６を伝送する。この開放要請信号Ｓ１０６を基地局が受信して制御部が確認すると、確認信号及び変更されるパラメータの信号Ｓ１０７を、下り回線のスロットＴ２を使用して端末装置に伝送する。この変更されるパラメータの伝送に続いて、回線開放用のトレーラ情報信号として、開放スロット番号などを指定する信号Ｓ１０８を、下り回線のスロットＴ２を使用して端末装置に伝送する。この信号Ｓ１０８を端末装置で受信して制御部が確認すると、確認信号（ＡＣＫ信号）Ｓ１０９を上り回線のスロットＴ２を使用して基地局に伝送し、このスロットＴ２を使用した通信を終了させて、スロットＴ２（チャンネル２）による通信回線を開放させる。以後は、スロットＴ１による通信回線だけが残り、図４のＡに示す通信回線設定状態となる。
【００３３】
次に、このように伝送容量を変化させる本例の通信処理に適用されるインターリーブ処理及びデインターリーブ処理を説明する。ここでは、チャンネルを増設して伝送容量を増やす前と、増やす後でインターリーブ処理を変える例と、インターリーブ処理を各チャンネルで個別に設定する例の２つの例について説明する。
【００３４】
まず、伝送容量の変化でインターリーブ処理を変える例を、図６を参照して説明する。図６では、タイミングｔx で伝送容量が変化したものとし、タイミングｔx より前ではチャンネル１（スロットＴ１）だけによる通信回線が設定されて通信を行い、タイミングｔx より後ではチャンネル２（スロットＴ２）が増設された通信回線が設定されて通信を行うものとする。ここでは、１フレームのデータを４フレームに分散させるインターリーブ処理を行うものとしてあり、送信側でインターリーブされる前のデータとして、図６の（ａ）に示すデータが得られるものとする。即ち、チャンネル１だけで通信中の或るフレームでは、データＡ１，Ａ２，Ａ３，Ａ４が１スロット期間に送信データとして得られるが、送信側でのインターリーブ処理により、図６の（ｂ）に示すように、各データＡ１〜Ａ４は別のフレーム期間のスロットに分散されて、そのインターリーブ処理されたデータが変調されて送信される。
【００３５】
そして、受信側では、このチャンネル１のデータの４フレーム期間に分散されて伝送されたデータの配列を元に戻すデインターリーブ処理を行って、図６の（ｃ）に示すように、元のデータ配列のスロット構成のデータを復元する。
【００３６】
ここで、タイミングｔx の後では、１フレームで送信されるデータが２倍になって２スロット期間で送信される。例えば、タイミングｔx の直後のフレームでは、２スロット期間の送信データＤ１，Ｄ２，‥‥Ｄ８が図６の（ａ）に示すように生成されるが、この１フレームを構成する２スロット期間のデータＤ１〜Ｄ８を、１系列のデータとして扱って４フレームに分散させる２チャンネルに跨がったインターリーブ処理を行い、図６の（ｂ）に示すように、インターリーブされた各フレームの送信データを、チャンネル１（スロットＴ１）とチャンネル２（スロットＴ２）に２分割して送信する。なお、図６の（ｂ）の送信データ中のＰＡＤは、データが送信されない区間（実際には何らかのダミーデータを送信したり、或いは送信電力を０としたりする）で、チャンネル増設直後にその増設されたチャンネルで送信するデータが存在しない区間である。
【００３７】
このようにインターリーブされて伝送されたデータは、受信データの４フレーム８スロットのデータのデインターリーブ処理で元の配列に戻され、１フレーム毎に２スロットのデータが抽出されるようになる。なお、図６の処理は、インターリーブ処理，デインターリーブ処理の概要を説明するために簡略化して示した図で、実際のインターリーブ処理及びデインターリーブ処理では、より複雑にデータの並び変え処理が実行される。
【００３８】
このように同時に送信するチャンネル数が増えると同時に、その増えたチャンネルによる伝送容量に対応したインターリーブ処理及びデインターリーブ処理に切換えることで、チャンネル数の増加に簡単に対処できる。なお、チャンネル数を減少させる場合には、図６の例とは逆にインターリーブ処理及びデインターリーブ処理を変化させることで対処できる。
【００３９】
次に、別のインターリーブ処理の例として、チャンネル増設があった場合でもインターリーブ処理を各チャンネルで個別に設定する例を、図７を参照して説明する。図７では、タイミングｔx で伝送容量が変化したものとし、タイミングｔx より前ではチャンネル１（スロットＴ１）だけによる通信回線が設定されて通信を行い、タイミングｔx より後ではチャンネル２（スロットＴ２）が増設された通信回線が設定されて通信を行うものとする。ここでは、１フレームのデータを４フレームに分散させるインターリーブ処理を行うものとしてある。即ち、図７の（ａ）が送信側でインターリーブされる前のデータであり、図７の（ｂ）はインターリーブされて伝送されるデータであり、４フレームに分散されて伝送されていることが示されている。そして、図７の（ｃ）は、デインターリーブされて復元されるデータであり、４フレームに分散されたデータから、１フレームのデータが復元されることを示している。このチャンネル１だけで送信されるタイミングｔx より前のインターリーブ状態は、図６で説明した例と同じである。
【００４０】
そして、タイミングｔx でチャンネル２（スロットＴ２）が増設された後には、チャンネル１，チャンネル２の送信データそれぞれに対して個別にインターリーブ処理を行うようにしてある。即ち、タイミングｔx 以後の１フレーム２スロット分の送信データの内の前半のデータ（例えばタイミングｔx 直後のフレームのデータＤ１〜Ｄ４）は、図７の（ｂ）に示すように、チャンネル１で送信されるスロットに分散されて、インターリーブされる。そして、１フレーム２スロット分の送信データの内の後半のデータ（例えばタイミングｔx 直後のフレームのデータＤ５〜Ｄ８）は、図７の（ｂ）に示すように、チャンネル２で送信されるスロットに分散されて、インターリーブされる。
【００４１】
このインターリーブ状態は、チャンネル１で送信されるデータだけで見た場合、チャンネル増設がある前と後で同一であり、増設されたチャンネル２についても、チャンネル１と同一のインターリーブ処理が繰り返されるものである。従って、デインターリーブされたデータについても、図７の（ｃ）に示すように、各フレームの前半のデータがチャンネル１で伝送されたデータであり、後半のデータがチャンネル２で伝送されたデータである。なお、図７に示した処理についても、図６の処理と同様に、インターリーブ処理，デインターリーブ処理の概要を説明するために簡略化して示した図であり、実際のインターリーブ処理及びデインターリーブ処理では、より複雑にデータの並び変え処理が実行される。
【００４２】
この図７に示すようにインターリーブ処理及びデインターリーブ処理が行われることで、チャンネル増設があった場合でも、各チャンネル内では同一の処理が継続して行われ、伝送容量の変化に伴うインターリーブ処理の変化がなく、良好にインターリーブ処理してデータを伝送することができる。また、図７では示さないが、チャンネル数が減少する場合にも、減少後に残るチャンネルについてのインターリーブ処理を継続して行うことで、簡単に適正なインターリーブ処理ができる。
【００４３】
なお、図７の例では、チャンネル１とチャンネル２とで同一のデータ配列のインターリーブ処理を設定するようにしたが、チャンネル１でのインターリーブによるデータ配列と、チャンネル２でのインターリーブによるデータ配列とを変えるようにしても良い。また、伝送容量の増加や減少は、２倍や１／２倍に限らず、最小伝送容量の整数倍で行うことも同様にできる。
【００４４】
また、ここまでの説明では、伝送容量の変化に伴ったインターリーブ処理の設定として、伝送容量の変化に応じてインターリーブパターンを変える処理と、伝送容量が増えた場合に同じインターリーブパターンを繰り返す処理とのいずれかを設定するようにしたが、両処理を組み合わせるようにしても良い。即ち、例えば図５に示した接続シーケンスの中で、チャンネル１の通信中にチャンネル２の通信を開始させたＳ１０４でのヘッダ情報信号の伝送開始時には、チャンネル１とチャンネル２とで、個別に同じインターリーブパターン（チャンネル毎に異なるインターリーブパターンを設定しても良い）を設定して送信と受信の処理を行う。そして、確認信号Ｓ１０５の伝送による決定の後、実際にチャンネル２で音声データなどを伝送するタイミングになったら、チャンネル１のデータとチャンネル２のデータとを、１系列のデータとして扱ってインターリーブするインターリーブパターンを設定して、送信と受信を行うようにしても良い。
【００４５】
次に、本発明の第２の実施例を、図８〜図２０を参照して説明する。
【００４６】
本例においては、マルチキャリア伝送方式によるセルラ方式の無線電話システムに適用したもので、まずそのマルチキャリア伝送方式の詳細を、図８〜図１０を参照して説明する。本例の通信方式の構成は、予め割当てられた帯域（Band）内に複数のサブキャリアを連続的に配置し、この１帯域内の複数のサブキャリアを１つの伝送路（パス）で同時に使用するいわゆるマルチキャリア方式としてあり、さらに１帯域内の複数のサブキャリアを一括して帯域で分割（Division）して変調するもので、ここでは帯域分割多元接続（ＢＤＭＡ：Band Division Multiple Access ）と称する。
【００４７】
以下、その構成について説明すると、図８は、本例の伝送信号のスロット構成を示す図で、縦軸を周波数、横軸を時間としたものである。本例の場合には、周波数軸と時間軸とを格子状に分割した直交基底を与えるものである。即ち、１つの伝送帯域（１バンドスロット）が１５０ＫＨｚとされ、この１５０ＫＨｚの１伝送帯域内に、２４本のサブキャリアを配置する。この２４本のサブキャリアは、６．２５ｋＨｚ間隔で等間隔に連続的に配置され、１キャリア毎に０から２３までのサブキャリア番号が付与される。但し、実際に存在するサブキャリアは、サブキャリア番号１から２２までの２２本としてあり、１バンドスロット内の両端部のサブキャリア番号０及び２３についてはサブキャリアを立てないガードバンドとしてあり、電力を０としてある。
【００４８】
そして時間軸でみると、２００μ秒間隔で１タイムスロットが規定され、１タイムスロット毎に２２本のサブキャリアにバースト信号が変調されて伝送される。そして、２５タイムスロット（即ち５ｍ秒）配置された状態が、１フレームと定義される。この１フレーム内の各タイムスロットには、０から２４までのタイムスロット番号が付与される。図８中にハッチングを付与して示す範囲は、１バンドスロットの１タイムスロット区間を示すものである。なお、ここではスロット番号２４のタイムスロットは、データが伝送されない期間とされる。
【００４９】
そして、この周波数軸と時間軸とを格子状に分割した直交基底を使用して、基地局が複数の移動局（端末装置）と同時期に通信を行う多元接続を行うものである。ここで、各移動局との接続状態としては、図９に示す構成で行われる。図９は、１バンドスロット（実際には後述する周波数ホッピングにより使用するバンドスロットは切換わる）を使用して、基地局に接続される６つの移動局（ユーザー）Ｕ０，Ｕ１，Ｕ２‥‥Ｕ５のタイムスロットの使用状態を示す図で、Ｒとして示すタイムスロットは受信スロットで、Ｔとして示すタイムスロットは送信スロットであり、基地局で規定されるフレームタイミングは図９のＡに示すように２４タイムスロット周期（２５タイムスロット用意された内の最後のスロットであるスロット番号２４は使用されない）で設定される。なお、ここでは送信スロットと受信スロットとは別の帯域を使用して伝送されるものとしてある。
【００５０】
例えば図９のＢに示す移動局Ｕ０は、受信スロットとして１フレーム内のタイムスロット番号０，６，１２，１８が使用され、送信スロットとしてタイムスロット番号３，９，１５，２１が使用され、それぞれのタイムスロットでバースト信号の受信又は送信を行う。また、図９のＣに示す移動局Ｕ１は、受信スロットとして１フレーム内のタイムスロット番号１，７，１３，１９が使用され、送信スロットとしてタイムスロット番号４，１０，１６，２２が使用される。また、図９のＤに示す移動局Ｕ２は、受信スロットとして１フレーム内のタイムスロット番号２，８，１４，２０が使用され、送信スロットとしてタイムスロット番号５，１１，１７，２３が使用される。また、図９のＥに示す移動局Ｕ３は、受信スロットとして１フレーム内のタイムスロット番号３，９，１５，２１が使用され、送信スロットとしてタイムスロット番号０，６，１２，１８が使用される。また、図９のＦに示す移動局Ｕ４は、受信スロットとして１フレーム内のタイムスロット番号４，１０，１６，２２が使用され、送信スロットとしてタイムスロット番号１，７，１３，２２が使用される。さらに、図９のＧに示す移動局Ｕ５は、受信スロットとして１フレーム内のタイムスロット番号５，１１，１６，２２が使用され、送信スロットとしてタイムスロット番号２，８，１４，２０が使用される。
【００５１】
図９に示す構成としたことで、１バントスロットに６つの移動局が接続される６ＴＤＭＡ（時分割多元接続）が行われるが、各移動局側から見ると、１タイムスロット期間の受信及び送信を行った後に、次の送信又は受信が行われるまで２タイムスロット期間（即ち４００μ秒）の余裕があり、この余裕を使用して、タイミング処理と周波数ホッピングと称される処理を行う。即ち、各送信スロットＴの前の約２００μ秒間には、送信タイミングを基地局側からの信号のタイミングに合わせるタイミング処理ＴＡを行う。そして、各送信スロットＴが終了した約２００μ秒後には、送信及び受信を行うバンドスロットを別のバンドスロットに切換える周波数ホッピングを行う。
【００５２】
そして、１つの基地局には複数のバンドスロットを割当てる。例えば１つの基地局で１つのセルが構成されるセルラ方式のシステムである場合で、１つのセルに１．２ＭＨｚの帯域が割当てられている場合には、８バンドスロットを１つのセルに配置することができる。同様に、１つのセルに２．４ＭＨｚの帯域が割当てられている場合には、１６バンドスロットを１つのセルに配置することができ、１つのセルに４．８ＭＨｚの帯域が割当てられている場合には、３２バンドスロットを１つのセルに配置することができ、１つのセルに９．６ＭＨｚの帯域が割当てられている場合には、６４バンドスロットを１つのセルに配置することがでる。そして、この１つのセルに割当てられた複数のバンドスロットを均等に使用するように、周波数ホッピングと称される周波数切換え処理を行う。
【００５３】
図１０は、１つのセルに８バンドスロットが配置された場合の例を示し、図１０のＡに示すように、用意された８バンドスロットのそれぞれで、図１０のＢに示すように、２２本のキャリアが立てられてデータ伝送を行う。
【００５４】
このように通信を行う状態を設定することで、各移動局と基地局との間で伝送される信号は、他の信号に対して直交性が保たれた状態となり、他の信号の干渉を受けることなく、該当する信号だけを良好に取り出すことができる。そして、周波数ホッピングにより伝送するバンドスロットを随時切換えるので、各基地局に用意された伝送帯域が有効に活用され、効率の良い伝送ができる。この場合、上述したように１つの基地局（セル）に割当てる周波数帯域を、自由に割当てることができるので、使用される状況に応じた自由なシステム設定が可能になる。
【００５５】
次に、以上説明したシステム構成にて基地局と端末装置（移動局）との間で通信を行う場合の、基地局と端末装置の構成について説明する。ここでは、基地局から端末装置への下り回線として２．０ＧＨｚ帯を使用し、端末装置から基地局への上り回線として２．２ＧＨｚ帯を使用するものとして説明する。
【００５６】
図１１は、端末装置の構成を示す図で、まず受信系について説明すると、送受信兼用のアンテナ１１１はアンテナ共用器１１２に接続してあり、このアンテナ共用器１１２の受信信号出力側には、バンドパスフィルタ１１３，受信アンプ１１４，混合器１１５が直列に接続してある。ここで、バンドパスフィルタ１１３は、２．０ＧＨｚ帯を抽出する。そして、混合器１１５で周波数シンセサイザ１３１が出力する１．９ＧＨｚの周波数信号を混合し、受信信号を１００ＭＨｚ帯の中間周波信号に変換する。なお、周波数シンセサイザ１３１は、ＰＬＬ回路（フェーズ・ロックド・ループ回路）で構成され、１．９ＧＨｚ帯の１５０ｋＨｚ間隔の信号（即ち１バンドスロット間隔）を生成させるシンセサイザである。
【００５７】
そして、混合器１１５が出力する中間周波信号を、バンドパスフィルタ１１６と可変利得アンプ１１７を介して復調用の２個の混合器１１８Ｉ，１１８Ｑに供給する。また、周波数シンセサイザ１３２が出力する１００ＭＨｚの周波数信号を、移相器１３３で９０度位相がずれた２系統の信号とし、この２系統の周波数信号の一方を混合器１１８Ｉに供給し、他方を混合器１１８Ｑに供給し、それぞれ中間周波信号に混合させ、受信したデータに含まれるＩ成分及びＱ成分を抽出する。
【００５８】
そして、抽出したＩ成分をローパスフィルタ１１９Ｉを介してアナログ／デジタル変換器１２０Ｉに供給し、デジタルＩデータに変換する。また、抽出したＱ成分をローパスフィルタ１１９Ｑを介してアナログ／デジタル変換器１２０Ｑに供給し、デジタルＩデータに変換する。
【００５９】
そして、アナログ／デジタル変換器１２０Ｉ，１２０Ｑが出力するデジタルＩデータ及びデジタルＱデータを、復調及びデコーダ１２１に供給し、復号された受信データを端子１２２に得る。
【００６０】
次に、端末装置の送信系の構成を説明すると、端子１４１に得られる送信データを、変調及びエンコーダ１４２に供給し、送信用の符号化及び変調処理を行い、送信用のデジタルＩデータ及びデジタルＱデータを生成させる。そして、変調及びエンコーダ１４２が出力するデジタルＩデータ及びデジタルＱデータをデジタル／アナログ変換器１４３Ｉ及び１４３Ｑに供給し、アナログＩ信号及びアナログＱ信号に変換し、この変換されたＩ信号及びＱ信号をローパスフィルタ１４４Ｉ及び１４４Ｑを介して混合器１４５Ｉ及び１４５Ｑに供給する。また、周波数シンセサイザ１３４が出力する３００ＭＨｚの周波数信号を、移相器１３５で９０度位相がずれた２系統の信号とし、この２系統の周波数信号の一方を混合器１４５Ｉに供給し、他方を混合器１４５Ｑに供給し、それぞれＩ信号及びＱ信号と混合して、３００ＭＨｚ帯の信号とし、加算器１４６で１系統の信号とする直交変調を行う。
【００６１】
そして、加算器１４６が出力する３００ＭＨｚ帯に変調された信号を、送信アンプ１４７，バンドパスフィルタ１４８を介して混合器１４９に供給し、周波数シンセサイザ１３１が出力する１．９ＧＨｚ帯の周波数信号を混合し、２．２ＧＨｚ帯の送信周波数に変換する。そして、この送信周波数に周波数変換された送信信号を、送信アンプ（可変利得アンプ）１５０及びバンドパスフィルタ１５１を介してアンテナ共用器１１２に供給し、このアンテナ共用器１１２に接続されたアンテナ１１１から無線送信させる。なお、送信アンプ１５０の利得を制御することにより、送信出力が調整される。この送信出力の制御は、例えば基地局側から受信した出力制御データに基づいて行われる。
【００６２】
次に、この構成の端末装置の送信系のエンコーダ及びその周辺の詳細な構成を、図１２を参照して説明する。送信データは、畳み込み符号化器１６１に供給して、畳み込み符号化を行う。ここでの畳み込み符号化としては、例えば拘束長ｋ＝７，符号化率Ｒ＝１／３の符号化を行う。この畳み込み符号化器１６１の出力を、４フレームインターリーブバッファ１６２に供給し、４フレーム（２０ｍ秒）に跨がったデータのインターリーブを行う。そして、このインターリーブバッファ１６２の出力を、ＤＱＰＳＫエンコーダ１６３に供給し、ＤＱＰＳＫ変調を行う。即ち、供給されるデータに基づいて、ＤＱＰＳＫシンボル生成回路１６３ａで対応したシンボルを生成させ、このシンボルを乗算器１６３ｂの一方の入力に供給し、この乗算器１６３ｂの乗算出力を遅延回路１６３ｃで１シンボル遅延させて他方の入力に戻して、ＤＱＰＳＫ変調を行う。そして、このＤＱＰＳＫ変調されたデータを、乗算器１６４に供給して、ランダム位相シフトデータ発生回路１６５が出力するランダム位相シフトデータを、変調データに乗算する処理を行い、データの位相を見かけ上ランダムに変化させる。
【００６３】
そして、乗算器１６４の出力を、ＦＦＴ回路（高速フーリエ変換回路）１６６に供給し、高速フーリエ変換による演算で時間軸上のデータの周波数変換処理を行い、６．２５ｋＨｚ間隔の２２本のサブキャリア（１バンドスロット使用時）に変調されたいわゆるマルチキャリアデータとする。
【００６４】
そして、この高速フーリエ変換でマルチキャリアとされたデータを乗算器１６７に供給し、窓がけデータ発生回路１６８が出力する時間波形を乗算する処理を行う。この時間波形としては、例えば図１３のＡに示すように、送信側では１つの波形の長さＴU が約２００μ秒（即ち１タイムスロット期間）の波形とされる。但し、その両端部ＴTR（約１５μ秒間）は、なだらかに波形のレベルが変化するようにしてあり、図１３のＢに示すように、時間波形を乗算させる際には、隣接する時間波形と一部が重なるようにしてある。
【００６５】
図１２の説明に戻ると、乗算器１６７で時間波形が乗算された信号を、バーストバッファ１６９を介してデジタル／アナログ変換器１４３（図１１のデジタル／アナログ変換器１４３Ｉ，１４３Ｑに相当）に供給し、アナログ信号とする。
【００６６】
次に、本例の端末装置の受信系のデコーダ及びその周辺の詳細な構成を、図１４を参照して説明する。アナログ／デジタル変換器１２０（図１１のアナログ／デジタル変換器１２０Ｉ，１２０Ｑに相当）で変換されたデジタルデータを、バーストバッファ１７１を介して乗算器１７２に供給し、逆窓がけデータ発生回路１７３が出力する時間波形を乗算する。この受信時に乗算する時間波形は、図１３のＡに示す形状の時間波形であるが、その長さＴM を１６０μ秒として送信時よりも短い時間波形としてある。
【００６７】
そして、この時間波形が乗算された受信データを、ＦＦＴ回路１７４に供給し、高速フーリエ変換処理により周波数軸と時間軸との変換処理を行い、６．２５ｋＨｚ間隔の２２本のサブキャリアに変調されて伝送されたデータを時間軸が連続した１系統のデータとする。
【００６８】
そして、ＦＦＴ回路１７４で高速フーリエ変換されて１系統とされた受信データを、乗算器１７５に供給し、逆ランダム位相シフトデータ発生回路１７６が出力する逆ランダム位相シフトデータ（このデータは送信側のランダム位相シフトデータと同期して変化するデータ）を乗算し、元の位相のデータに戻す。
【００６９】
そして、元の位相に戻されたデータを、差動復調回路１７７に供給し、差動復調させ、この差動復調されたデータを４フレームデインターリーブバッファ１７８に供給し、送信時に４フレームにわたってインターリーブされたデータを元のデータ配列とし、このデインターリーブされたデータをビタビ復号化器１７９に供給し、ビタビ復号を行う。そして、ビタビ復号されたデータをデコーダされた受信データとして後段の受信データ処理回路（図示せず）に供給する。
【００７０】
次に、基地局の構成を、図１５を参照して説明する。この基地局での送受信を行う構成は、基本的には端末装置側の構成と同じであるが、複数台の端末装置と同時に接続される多元接続を行うための構成が端末装置とは異なる。
【００７１】
まず、図１５に示す受信系の構成について説明すると、送受信兼用のアンテナ２１１はアンテナ共用器２１２に接続してあり、このアンテナ共用器２１２の受信信号出力側には、バンドパスフィルタ２１３，受信アンプ２１４，混合器２１５が直列に接続してある。ここで、バンドパスフィルタ２１３は、２．２ＧＨｚ帯を抽出する。そして、混合器２１５で周波数シンセサイザ２３１が出力する１．９ＧＨｚの周波数信号を混合し、受信信号を３００ＭＨｚ帯の中間周波信号に変換する。
【００７２】
そして、混合器２１５が出力する中間周波信号を、バンドパスフィルタ２１６と受信アンプ２１７を介して復調用の２個の混合器２１８Ｉ，２１８Ｑに供給する。また、周波数シンセサイザ２３４が出力する３００ＭＨｚの周波数信号を、移相器２３５で９０度位相がずれた２系統の信号とし、この２系統の周波数信号の一方を混合器２１８Ｉに供給し、他方を混合器２１８Ｑに供給し、それぞれ中間周波信号に混合させ、受信したデータに含まれるＩ成分及びＱ成分を抽出する。
【００７３】
そして、抽出したＩ成分をローパスフィルタ２１９Ｉを介してアナログ／デジタル変換器２２０Ｉに供給し、デジタルＩデータに変換する。また、抽出したＱ成分をローパスフィルタ２１９Ｑを介してアナログ／デジタル変換器２２０Ｑに供給し、デジタルＩデータに変換する。
【００７４】
そして、アナログ／デジタル変換器２２０Ｉ，２２０Ｑが出力するデジタルＩデータ及びデジタルＱデータを、復調部２２１に供給し、復調されたデータをデマルチプレクサ２２２に供給して、各端末装置からのデータに分割し、分割されたデータを同時に接続される端末装置の数（１バンドスロット当たり６台）だけ用意されたデコーダ２２３ａ，２２３ｂ‥‥２２３ｎに個別に供給する。
【００７５】
次に、基地局の送信系の構成を説明すると、同時に通信を行う相手（端末装置）の数だけ用意されたエンコーダ２４１ａ，２４１ｂ‥‥２４１ｎで個別に符号化された送信データを、マルチプレクサ２４２で合成し、このマルチプレクサ２４２の出力を変調部２４３に供給し、送信用の変調処理を行い、送信用のデジタルＩデータ及びデジタルＱデータを生成させる。
【００７６】
そして、変調部２４３が出力するデジタルＩデータ及びデジタルＱデータを、デジタル／アナログ変換器２４４Ｉ及び２４４Ｑに供給し、アナログＩ信号及びアナログＱ信号に変換し、この変換されたＩ信号及びＱ信号をローパスフィルタ２４５Ｉ及び２４５Ｑを介して混合器２４６Ｉ及び２４６Ｑに供給する。また、周波数シンセサイザ２３８が出力する１００ＭＨｚの周波数信号を、移相器２３９で９０度位相がずれた２系統の信号とし、この２系統の周波数信号の一方を混合器２４６Ｉに供給し、他方を混合器２４６Ｑに供給し、それぞれＩ信号及びＱ信号と混合して、１００ＭＨｚ帯の信号とし、加算器２４７で１系統の信号とする直交変調を行う。
【００７７】
そして、加算器２４７が出力する１００ＭＨｚ帯に変調された信号を、送信アンプ２４８，バンドパスフィルタ２４９を介して混合器２５０に供給し、周波数シンセサイザ２３１が出力する１．９ＧＨｚ帯の周波数信号を混合し、２．０ＧＨｚ帯の送信周波数に変換する。そして、この送信周波数に周波数変換された送信信号を、送信アンプ２５１及びバンドパスフィルタ２５２を介してアンテナ共用器２１２に供給し、このアンテナ共用器２１２に接続されたアンテナ２１１から無線送信させる。
【００７８】
次に、基地局で送信データをエンコードして変調する構成の詳細を、図１６を参照して説明する。ここではＮ個（Ｎは任意の数）の端末装置（ユーザー）と同時に多元接続を行うものとすると、各端末装置のユーザーへの送信信号Ｕ０，Ｕ１‥‥ＵＮは、それぞれ別の畳み込み符号化器３１１ａ，３１１ｂ‥‥３１１ｎに供給して、個別に畳み込み符号化を行う。ここでの畳み込み符号化としては、例えば拘束長ｋ＝７，符号化率Ｒ＝１／３の符号化を行う。
【００７９】
そして、それぞれの系で畳み込み符号化されたデータを、それぞれ４フレームインターリーブバッファ３１２ａ，３１２ｂ‥‥３１２ｎに供給し、４フレーム（２０ｍ秒）に跨がったデータのインターリーブを行う。そして、各インターリーブバッファ３１２ａ，３１２ｂ‥‥３１２ｎの出力を、それぞれＤＱＰＳＫエンコーダ３２０ａ，３２０ｂ‥‥３２０ｎに供給し、ＤＱＰＳＫ変調を行う。即ち、供給されるデータに基づいて、ＤＱＰＳＫシンボル生成回路３２１ａ，３２１ｂ‥‥３２１ｎで対応したシンボルを生成させ、このシンボルを乗算器３２２ａ，３２２ｂ‥‥３２２ｎの一方の入力に供給し、この乗算器３２２ａ，３２２ｂ‥‥３２２ｎの乗算出力を各遅延回路３２３ａ，３２３ｂ‥‥３２３ｎで１シンボル遅延させて他方の入力に戻して、ＤＱＰＳＫ変調を行う。そして、このＤＱＰＳＫ変調されたデータを、それぞれ乗算器３１３ａ，３１３ｂ‥‥３１３ｎに供給して、ランダム位相シフトデータ発生回路３１４ａ，３１４ｂ‥‥３１４ｎが個別に出力するランダム位相シフトデータを、変調データに乗算する処理を行い、それぞれのデータの位相を見かけ上ランダムに変化させる。
【００８０】
そして、各乗算器３１３ａ，３１３ｂ‥‥３１３ｎの出力を、マルチプレクサ２４２に供給し合成する。ここで、本例のマルチプレクサ２４２で合成する際には、その合成する周波数位置を１５０ｋＨｚ単位で切換えられるようにしてあり、この切換えを制御することで、各端末装置に対して送信されるバースト信号の周波数切換えを行う。即ち、本例の場合には図７などで説明したように、周波数ホッピングと称されるバントスロット単位での周波数の切換えを行うようにしてあるが、その周波数切換えを、マルチプレクサ２４２での合成時の処理の切換えにより実現している。
【００８１】
そして、マルチプレクサ２４２で合成されたデータを、ＦＦＴ回路３３２に供給し、高速フーリエ変換による演算で時間軸上のデータの周波数変換処理を行い、１バントスロット当たり６．２５ｋＨｚ間隔の２２本のサブキャリアに変調されたいわゆるマルチキャリアデータとする。そして、この高速フーリエ変換でマルチキャリアとされたデータを乗算器３３３に供給し、窓がけデータ発生回路３３４が出力する時間波形を乗算する処理を行う。この時間波形としては、例えば図１３のＡに示すように、送信側では１つの波形の長さＴU が約２００μ秒（即ち１タイムスロット期間）の波形とされる。但し、その両端部ＴTR（約１５μ秒間）は、なだらかに波形のレベルが変化するようにしてあり、図１３のＢに示すように、時間波形を乗算させる際には、隣接する時間波形と一部が重なるようにしてある。
【００８２】
そして、乗算器３３３で時間波形が乗算された信号を、バーストバッファ３３５を介してデジタル／アナログ変換器２４４（図１５での変換器２４４Ｉ，２４４Ｑに相当）に供給し、アナログＩ信号及びアナログＱ信号とし、図１５の構成にて送信処理する。
【００８３】
次に、基地局で受信データを復調してデコードする構成の詳細を、図１７を参照して説明する。アナログ／デジタル変換器２２０（図１５のアナログ／デジタル変換器２２０Ｉ及び２２０Ｑに相当）で変換されたデジタルＩデータ及びデジタルＱデータを、バーストバッファ３４１を介して乗算器３３３に供給し、逆窓がけデータ発生回路３４３が出力する時間波形を乗算する。この時間波形としては、図１３のＡに示す形状の時間波形であるが、その長さＴM を１６０μ秒として送信時よりも短い時間波形としてある。
【００８４】
そして、この時間波形が乗算された受信データを、ＦＦＴ回路３４４に供給して高速フーリエ変換を行い、周波数軸と時間軸との変換処理を行い、１バンドスロット当たり６．２５ｋＨｚ間隔の２２本のサブキャリアに変調されて伝送されたデータを時間軸が連続したデータとする。そして、この高速フーリエ変換されたデータを、デマルチプレクサ２２２に供給し、同時に多元接続される各端末装置の数だけ分割されたデータとする。ここで、本例のデマルチプレクサ２２２で分割する際には、その分割する周波数位置を１５０ｋＨｚ単位で切換えられるようにしてあり、この切換えを制御することで、各端末装置から送信されるバースト信号の周波数切換えを行う。即ち、本例の場合には図９などで説明したように、周波数ホッピングと称されるバントスロット単位での周波数の切換えを周期的に行うようにしてあるが、その受信側での周波数切換えを、デマルチプレクサ２２２での分割時の処理の切換えにより実現している。
【００８５】
そして、デマルチプレクサ２２２で分割されたそれぞれの受信データを、同時に多元接続される端末装置の数Ｎだけ設けられた乗算器３５１ａ，３５１ｂ‥‥３５１ｎに個別に供給し、それぞれの乗算器３５１ａ，３５１ｂ‥‥３５１ｎで逆ランダム位相シフトデータ発生回路３５２ａ，３５２ｂ‥‥３５２ｎが出力する逆ランダム位相シフトデータ（このデータは送信側のランダム位相シフトデータと同期して変化するデータ）を乗算し、それぞれの系で元の位相のデータに戻す。
【００８６】
そして、差動復調回路３５３ａ，３５３ｂ‥‥３５３ｎに供給し、差動復調させ、この差動復調されたデータを４フレームデインターリーブバッファ３５４ａ，３５４ｂ‥‥３５４ｎに供給し、送信時に４フレームにわたってインターリーブされたデータを元のデータ配列とし、このデインターリーブされたデータをビタビ復号化器３５５ａ，３５５ｂ‥‥３５５ｎに供給し、ビタビ復号を行う。そして、ビタビ復号されたデータをデコーダされた受信データとして後段の受信データ処理回路（図示せず）に供給する。
【００８７】
なお、ここまでの通信処理では畳み込み符号とビタビ復号を符号化，復号化に適用したが、これらの符号化，復号化は一例を示したもので、これらの方式に限定されるものではなく、例えば符号化には送信シンボルの系列間距離を大きくとるための符号化，復号化には、受信シンボルをもとに最尤系列推定を行うものを用意すれば良い。即ち、既知のターボコード等を用いることもできる。
【００８８】
次に、以上説明した端末装置と基地局との間で通信を行う場合の、通信状態について説明する。本例においては、端末装置と基地局との間で通信を行う際の伝送容量を、適応的に設定できるようにしたもので、この適応的に伝送容量を設定する処理として、マルチキャリア信号を伝送するシステムであるＢＤＭＡ方式を適用したものである。
【００８９】
本例の場合に端末装置と基地局との間で通常設定される通信回線は、既に図８などで説明したように、１バンドスロット２２本のサブキャリアを、一定周波数間隔で配置して設定されるもので、１バンドスロットで１単位の通信回線が設定されて音声データなどの伝送が行われる。図１８のＡに、その１バンドスロットの帯域ｆW を使用した２２本のサブキャリアの伝送状態を示す。ｆC は中心周波数であり、ｆk はサブキャリアの周波数間隔（６．２５ｋＨｚ間隔）である。
【００９０】
そして、この通信回線が設定された状態で、送信させる情報の伝送容量を増大させたい要請（即ち伝送速度の高速化の要請）があるとする。このとき、隣接するバンドスロットが空きスロットである場合には、そのバンドスロットを、このときの通信回線に追加して割当て、図１８のＢに示すように、２バンドスロットの帯域２ｆW を使用して、４４本のサブキャリアの伝送を行う。サブキャリアの周波数間隔ｆk は、１バンドスロット使用時と同じである。なお、２バンドスロット使用時の中心周波数ｆC は、１バンドスロット使用時と同じ周波数とするか、或いは２バンドスロットの帯域に応じて変化させるようにしても良い。
【００９１】
このように、２バンドスロットの帯域を使用する場合には、例えば図１８のＢに示すように、中心周波数ｆC を中心とした中央部の帯域ｆW 内の２２本のサブキャリアで伝送されるデータをチャンネル１のデータとし、その上下の帯域ｆW ′，ｆW ″内の２２本のサブキャリアで伝送されるデータをチャンネル２のデータとする。そして、第１の実施例で説明した図５の接続シーケンスの処理で、チャンネル１（帯域ｆW ）のデータ伝送を行いながら、チャンネル２（帯域ｆW ′，ｆW ″）の増設処理を行う。
【００９２】
即ち、図５を再度参照して説明すると、チャンネル１（ＣＨ１）の通信は、帯域ｆW 内のサブキャリアを使用した継続した通信（図５中に実線で示す通信）であり、チャンネル２（ＣＨ２）の通信は、帯域ｆW ′，ｆW ″を使用した新たに追加された通信（図５中に破線で示す通信）である。まず、チャンネル１の通信が行われている最中に、端末装置から新たな情報の送信開始などのために、伝送容量を増大させたいとする。このとき、端末装置から基地局に対して、現在通信中の上り回線のチャンネル１内の所定の区間を使用して、新たな情報チャンネルの生成要請信号Ｓ１０１を送信する。
【００９３】
基地局では、この新たな情報チャンネルの生成要請信号Ｓ１０１を受信すると、同じ伝送周波数中の空きスロットを判断して、その空きスロットに新チャンネルの開設を受諾する信号と、その受諾に伴って変更されるパラメータの信号Ｓ１０２を伝送する。端末装置では、この受諾信号などを受信して確認すると、確認信号（ＡＣＫ信号）Ｓ１０３を上り回線のチャンネル１を使用して送信する。
【００９４】
ここで、基地局から伝送されるパラメータには、新チャンネルとして割当てられる帯域のデータの他に、その帯域で通信を開始させるタイミングのデータについても伝送される。この場合、そのデータで指示されるタイミングで、連続した２バンドスロットの帯域を使用した通信に切換わる。
【００９５】
そして、指示されたタイミングで、新たに割当てられた下り回線の帯域ｆW ′，ｆW ″によるチャンネル２で、基地局からヘッダ情報信号の伝送を開始させると共に、新たに割当てられた上り回線の帯域ｆW ′，ｆW ″によるチャンネル２で、端末装置からもヘッダ情報信号の伝送を開始させる（図５でＳ１０４として示す処理）。なお、帯域ｆW によるチャンネル１では、音声データなどの情報の伝送が継続して行われている。また、ヘッダ情報信号は、例えば特定のパターンのデータなどの予め決まった信号である。
【００９６】
この新たに割当てられた帯域ｆW ′，ｆW ″によるチャンネル２での双方向のヘッダ情報信号の伝送Ｓ１０４が行われると、受信側の制御部では、そのヘッダ情報信号を正しく受信できたか判断し、正しく受信できたと判断したとき、チャンネル１内の所定の区間を使用して、確認信号Ｓ１０５を相手に対して伝送する。そして、双方でこの確認信号Ｓ１０５を受信して判別すると、新たに割当てられたチャンネル２を使用した情報の伝送を開始させ、１台の端末装置と基地局との間の２チャンネルの通信回線が設定される。ここで、チャンネル１とチャンネル２で伝送される情報としては、同じ種類の情報を２チャンネルに分割して伝送させる他に、各チャンネル１，２で異なる種類の情報（例えば音声データと電子メールデータなど）を伝送させるようにしても良い。
【００９７】
次に、元の伝送容量に戻したい場合（或いは最初から２チャンネル使用した伝送回線が設定されている場合に伝送容量を減らしたい場合）について説明する。端末装置からの要請で伝送容量を減らす場合には、図５に示すように、上り回線のチャンネル２を使用して、端末装置から基地局にチャンネル２の開放要請信号Ｓ１０６を伝送する。この開放要請信号Ｓ１０６を基地局が受信して制御部が確認すると、確認信号及び変更されるパラメータの信号Ｓ１０７を、下り回線のチャンネル２を使用して端末装置に伝送する。この変更されるパラメータの伝送に続いて、回線開放用のトレーラ情報信号として、開放スロット番号などを指定する信号Ｓ１０８を、下り回線のチャンネル２を使用して端末装置に伝送する。この信号Ｓ１０８を端末装置で受信して制御部が確認すると、確認信号（ＡＣＫ信号）Ｓ１０９を上り回線のチャンネル２を使用して基地局に伝送し、このチャンネル２を使用した通信を終了させて、チャンネル２による通信回線を開放させる。以後は、チャンネル１による通信回線だけが残り、図１８のＡに示す通信回線設定状態となる。このチャンネル２を開放して、チャンネル１だけの通信になるときには、中心周波数ｆC を変化させるようにしても良い。
【００９８】
次に、このように伝送容量を変化させる第２の実施例の通信処理に適用されるインターリーブ処理及びデインターリーブ処理を説明する。ここでは、チャンネルを増設して伝送容量を増やす前と、増やす後でインターリーブ処理を変える例と、インターリーブ処理を各チャンネルで個別に設定する例の２つの例について説明する。
【００９９】
まず、伝送容量の変化でインターリーブ処理を変える例を、図１９を参照して説明する。図１９では、タイミングｔx で伝送容量が変化したものとし、タイミングｔx より前ではチャンネル１（帯域ｆW のサブキャリア）だけによる通信回線が設定されて通信を行い、タイミングｔx より後ではチャンネル２（帯域ｆW ′，ｆW ″のサブキャリア）が増設された通信回線が設定されて通信を行うものとする。ここでは、１フレームのデータを４フレームに分散させるインターリーブ処理を行うものとしてあり、送信側でインターリーブされる前のデータとして、図１９の（ａ）に示すデータが得られるものとする。即ち、チャンネル１だけで通信中の或るフレームでは、データＡ１，Ａ２，Ａ３，Ａ４が１フレーム期間に送信データとして得られるが、送信側でのインターリーブ処理により、図１９の（ｂ）に示すように、各データＡ１〜Ａ４は４フレーム期間に分散されて、そのインターリーブ処理されたデータが変調されて送信される。
【０１００】
そして、受信側では、このチャンネル１のデータの４フレーム期間に分散されて伝送されたデータの配列を元に戻すデインターリーブ処理を行って、図１９の（ｃ）に示すように、元のデータ配列のフレーム構成のデータを復元する。
【０１０１】
ここで、タイミングｔx の後では、１フレームで送信されるデータが２倍になって２倍の帯域のサブキャリアを使用して送信される。例えば、タイミングｔx の直後のフレームでは、２スロット期間の送信データＤ１，Ｄ２，‥‥Ｄ８が図１９の（ａ）に示すように生成されるが、この１フレームを構成する２スロット期間のデータＤ１〜Ｄ８を、１系列のデータとして扱って４フレームに分散させる２チャンネルに跨がったインターリーブ処理を行い、図１９の（ｂ）に示すように、インターリーブされた各フレームの送信データを、チャンネル１（帯域ｆW ）とチャンネル２（帯域ｆW ′，ｆW ″）に２分割して送信する。
【０１０２】
ここで、チャンネル２を構成する帯域ｆW ′と帯域ｆW ″は、図１８により説明したように、チャンネル１の帯域ｆW の上下に付加される帯域であるので、図１９の（ｂ）に示すように、インターリーブされた１フレーム２チャンネル分のデータの内の中央の１チャンネル分のデータ（例えばタイミングｔx の直後のフレームのデータＣ２，ＰＡＤ，Ｄ１，Ａ４）が、チャンネル１のデータとして送信され、その前後の合計１チャンネル分のデータ（例えばタイミングｔx の直後のフレームのデータＢ３，Ｄ５，ＰＡＤ，ＰＡＤ）が、チャンネル２のデータとして送信される。なお、図１９の（ｂ）の送信データ中のＰＡＤは、データが送信されない区間（実際には何らかのダミーデータを送信したり、或いは電力を０としたりする）で、チャンネル増設直後にその増設されたチャンネルで送信するデータが存在しない区間である。
【０１０３】
そして、このようにインターリーブされて伝送された２チャンネルのデータは、受信データの４フレームに跨がったデインターリーブ処理で元の配列に戻され、１フレーム毎に２チャンネル分のデータが抽出されるようになる。なお、図１９の処理は、インターリーブ処理，デインターリーブ処理の概要を説明するために簡略化して示した図で、実際のインターリーブ処理及びデインターリーブ処理では、より複雑にデータの並び変え処理が実行される。
【０１０４】
このように同時に送信するチャンネル数が増えると同時に、その増えたチャンネルによる伝送容量に対応したインターリーブ処理及びデインターリーブ処理に切換えることで、チャンネル数の増加に簡単に対処できる。なお、チャンネル数を減少させる場合には、図１９の例とは逆にインターリーブ処理及びデインターリーブ処理を変化させることで対処できる。
【０１０５】
次に、別のインターリーブ処理の例として、チャンネル増設があった場合でもインターリーブ処理を各チャンネルで個別に設定する例を、図２０を参照して説明する。図２０では、タイミングｔx で伝送容量が変化したものとし、タイミングｔx より前ではチャンネル１（帯域ｆW ）だけによる通信回線が設定されて通信を行い、タイミングｔx より後ではチャンネル２（帯域ｆW ′，ｆW ″）が増設された通信回線が設定されて通信を行うものとする。ここでは、１フレームのデータを４フレームに分散させるインターリーブ処理を行うものとしてある。
【０１０６】
即ち、図２０の（ａ）が送信側でインターリーブされる前のデータであり、図２０の（ｂ）はインターリーブされたデータであり、図２０の（ｃ）はそのインターリーブされたデータをチャンネル配列に基づいて並び変えて送信されるデータである。ここでは各チャンネル毎に４フレームに分散させてインターリーブしてあり、チャンネル１だけを使用した通信回線が設定された状態では、図２０の（ｂ）のインターリーブされたデータと、図２０の（ｃ）のチャンネル配列に基づいて並び変えたデータとは、同じ配列のデータである。そして、図２０の（ｄ）は、デインターリーブされて復元されるデータであり、４フレームに分散されたデータから、１フレームのデータが復元されることを示している。チャンネル１だけで送信されるタイミングｔx より前のインターリーブ状態は、図１９で説明した例と同じである。
【０１０７】
そして、タイミングｔx でチャンネル２（帯域ｆW ′，ｆW ″）が増設された後には、チャンネル１，チャンネル２の送信データそれぞれに対して個別にインターリーブ処理を行うようにしてある。即ち、タイミングｔx 以後の１フレーム２チャンネル分の送信データの内の前半のデータ（例えばタイミングｔx 直後のフレームのデータＤ１〜Ｄ４）は、図２０の（ｂ）に示すように、チャンネル１で送信される区間の４フレームに分散されて、インターリーブされる。そして、１フレームの送信データの内の後半のデータ（例えばタイミングｔx 直後のフレームのデータＤ５〜Ｄ８）は、図２０の（ｂ）に示すように、チャンネル２で送信される区間の４フレームに分散されて、インターリーブされる。
【０１０８】
この各チャンネル毎に個別にインターリーブされたデータは、実際のチャンネル配置に対応したデータ配列に並び変えられる。即ち、チャンネル２を構成する帯域ｆW ′と帯域ｆW ″は、図１８により説明したように、チャンネル１の帯域ｆW の上下に付加される帯域であるので、図２０の（ｃ）に示すように、インターリーブされたチャンネル１のデータを１フレームの中央に配置し、インターリーブされたチャンネル２のデータを２分割して、その前後に配置する処理を行う。例えば、タイミングｔx の直後のフレームでは、チャンネル１のデータＡ４，Ｂ３，Ｃ２，Ｄ１を中央に配置し、チャンネル２のデータＰＡＤ，ＰＡＤ，ＰＡＤ，Ｄ５を、その前後に配置する。この実際のチャンネル配置に則した並び変えについても、インターリーブバッファ内で処理される。
【０１０９】
このように実際のチャンネル配置に則した並び変え処理が行われることで、例えば送信処理時のエンコーダ内での高速フーリエ変換回路（例えば図１２のＦＦＴ回路１６６）でのマルチキャリア信号への変換処理が、簡単に行える。
【０１１０】
そして、図２０の（ｃ）の配列で送信される１フレーム２チャンネルのデータを受信した側では、図２０の（ｄ）に示すように、各チャンネル毎に４フレームに分散されたデータから１フレームのデータを復元するデインターリーブ処理が行われて、２チャンネルの受信データが得られる。
【０１１１】
この例でのインターリーブ状態は、チャンネル１で送信されるデータだけで見た場合、チャンネル増設がある前と後で同一であり、増設されたチャンネル２についても、チャンネル１と同一のインターリーブ処理が繰り返されるものである。なお、図２０に示した処理についても、図１９の処理と同様に、インターリーブ処理，デインターリーブ処理の概要を説明するために簡略化して示した図であり、実際のインターリーブ処理及びデインターリーブ処理では、より複雑にデータの並び変え処理が実行される。
【０１１２】
この図２０に示すようにインターリーブ処理及びデインターリーブ処理が行われることで、チャンネル増設があった場合でも、各チャンネル内では同一の処理が継続して行われ、伝送容量の変化に伴うインターリーブ処理の変化がなく、良好にインターリーブ処理してデータを伝送することができる。また、図２０では示さないが、チャンネル数が減少する場合にも、減少後に残るチャンネルについてのインターリーブ処理を継続して行うことで、簡単に適正なインターリーブ処理ができる。
【０１１３】
なお、図２０の例では、チャンネル１とチャンネル２とで同一のデータ配列のインターリーブ処理を設定するようにしたが、チャンネル１でのインターリーブによるデータ配列と、チャンネル２でのインターリーブによるデータ配列とを変えるようにしても良い。また、伝送容量の増加や減少は、２倍や１／２倍に限らず、最小伝送容量の整数倍であれば、同様のことができる。
【０１１４】
また、この実施例ではチャンネル１，２で伝送されるサブキャリアの数を同じに設定して、チャンネル１，２で伝送できる情報の容量を同じに設定したが、チャンネル１とチャンネル２のサブキャリアの数などを変えて、各チャンネルで伝送できる情報の容量を変化させても良い。
【０１１５】
さらに、この実施例でも上り回線と下り回線との双方のバンドスロット数を増設又は減少させる処理について説明したが、いずれか一方の回線のバンドスロット数だけを増減させても良い。
【０１１６】
さらにまた、この実施例での説明でも、伝送容量の変化に伴ったインターリーブ処理の設定として、伝送容量の変化に応じてインターリーブパターンを変える処理と、伝送容量が増えた場合に個別にインターリーブパターンを繰り返す処理とのいずれかを設定するようにしたが、両処理を組み合わせるようにしても良い。即ち、例えば図５に示した接続シーケンスの中で、チャンネル１の通信中にチャンネル２の通信を開始させて、Ｓ１０４でのヘッダ情報信号の伝送開始時には、チャンネル１とチャンネル２とで、個別に同じインターリーブパターン（違うインターリーブパターンでも良い）を設定して送信と受信の処理を行う。そして、確認信号Ｓ１０５の伝送による決定の後、実際にチャンネル２で音声データなどを伝送するタイミングになったら、チャンネル１のデータとチャンネル２のデータとを、１系列のデータとして扱ってインターリーブするインターリーブパターンを設定して、送信と受信を行うようにしても良い。
【０１１７】
また、以上説明した第１，第２の実施例では、音声データ以外のデータとして、ファクシミリ用画像データと電子メール用データとを伝送させる場合について説明したが、その他の種別のデータを伝送する場合にも各実施例の処理が適用できることは勿論である。また、ＴＤＭＡ方式やマルチキャリア方式以外の他の伝送方式が適用される通信で、論理的な複数の伝送チャンネルを同時に設定する処理にも適用できるものである。例えば、ＣＤＭＡ方式の場合には、伝送容量を増やしたい場合に、伝送させたいデータを複数の拡散符号を使用して分散させて、同時に論理的な複数の伝送チャンネルを設定して伝送させるようにすれば、対処できる。
【０１１８】
【発明の効果】
本発明によると、第１，第２の両伝送チャンネルを同時に使用した通信時のインターリーブ処理又はデインターリーブ処理として、この第１，第２の伝送チャンネルのデータを所定の配列の１系列のデータとして所定のインターリーブパターンで並び変える処理を行うようにしたことで、両伝送チャンネルのデータを一括してインターリーブ処理及びデインターリーブ処理でき、いずれの伝送状態の場合でも、簡単な処理でインターリーブやデインターリーブを行うことができる。
【０１２２】
また上述した場合に、第１，第２の両伝送チャンネルを使用した通信を開始させるときには、各伝送チャンネルで個別にインターリーブパターンを設定し、所定の処理が行われた後に、両伝送チャンネルの伝送データを１系列のデータとして扱ったインターリーブパターンを設定するようにしたことで、チャンネル増設時のインターリーブ処理を、適正に行うことができる。
【図面の簡単な説明】
【図１】本発明の第１の実施例による端末装置の構成を示すブロック図である。
【図２】第１の実施例の基地局の構成を示すブロック図である。
【図３】第１の実施例によるフレーム構成例を示す説明図である。
【図４】第１の実施例による通信処理を示す説明図である。
【図５】本発明の各実施例による通信の接続シーケンスを示す説明図である。
【図６】第１の実施例によるインターリーブ処理例（チャンネル増設でインターリーブ処理を変える例）を示す説明図である。
【図７】第１の実施例によるインターリーブ処理例（チャンネル毎に個別にインターリーブ処理する例）を示す説明図である。
【図８】本発明の第２の実施例に適用される通信方式のスロット構成を示す説明図である。
【図９】第２の実施例に適用される通信方式の伝送タイミングを示す説明図である。
【図１０】第２の実施例に適用される通信方式のバンドスロットを示す説明図である。
【図１１】第２の実施例による端末装置の構成を示すブロック図である。
【図１２】第２の実施例による端末装置のエンコーダの構成を示すブロック図である。
【図１３】第２の実施例に適用される通信方式の窓がけデータを示す説明図である。
【図１４】第２の実施例による端末装置のデコーダの構成を示すブロック図である。
【図１５】第２の実施例による基地局の構成を示すブロック図である。
【図１６】第２の実施例による基地局の変調処理構成を示すブロック図である。
【図１７】第２の実施例による基地局の復調処理構成を示すブロック図である。
【図１８】第２の実施例による伝送状態を示す説明図である。
【図１９】第２の実施例によるインターリーブ処理例（チャンネル増設でインターリーブ処理を変える例）を示す説明図である。
【図２０】第２の実施例によるインターリーブ処理例（チャンネル毎に個別にインターリーブ処理する例）を示す説明図である。
【符号の説明】
１３  受信部、１５  復調部、１６  ＴＤＭＡ処理部、１７  音声処理部、２０  変調部、２１  送信部、２２  制御部、２４  ファクシミリ処理部、２５  電子メール処理部、５４ａ，５４ｂ‥‥５４ｎ  通信部、５５  制御部、１２０，１２０Ｉ，１２０Ｑ  アナログ／デジタル変換器、１２１  デコーダ、１４２エンコーダ、１４３，１４３Ｉ，１４３Ｑ  デジタル／アナログ変換器、１６２  ４フレームインターリーブバッファ、１６６，１７４  ＦＦＴ回路（高速フーリエ変換回路）、１７８  ４フレームデインターリーブバッファ、２２０，２２０Ｉ，２２０Ｑ  アナログ／デジタル変換器、２２３ａ，２２３ｂ‥‥２２３ｎ  デコーダ、２４１ａ，２４１ｂ‥‥２４１ｎ  エンコーダ、２４４，２４４Ｉ，２４４Ｑ  デジタル／アナログ変換器、３１２ａ，３１２ｂ‥‥３１２ｎ  ４フレームインターリーブバッファ、３５４ａ，３５４ｂ‥‥３５４ｎ  ４フレームデインターリーブバッファ
【図１】
0003666155.tif 000002
【図２】
0003666155.tif 000003
【図３】
0003666155.tif 000004
【図４】
0003666155.tif 000005
【図５】
0003666155.tif 000006
【図６】
0003666155.tif 000007
【図７】
0003666155.tif 000008
【図８】
0003666155.tif 000009
【図９】
0003666155.tif 000010
【図１０】
0003666155.tif 000011
【図１１】
0003666155.tif 000012
【図１２】
0003666155.tif 000013
【図１３】
0003666155.tif 000014
【図１４】
0003666155.tif 000015
【図１５】
0003666155.tif 000016
【図１６】
0003666155.tif 000017
【図１７】
0003666155.tif 000018
【図１８】
0003666155.tif 000019
【図１９】
0003666155.tif 000020
【図２０】
0003666155.tif 000021